(57)【要約】【課題】移動が容易で各種の用途に使用可能な多機能可般型噴霧装置を提供する。【解決手段】本噴霧装置は、貯水タンクと２０２、混合剤タンク２１０と、高圧ポンプ２１６と、電源２１４と、複数の手持高圧射水銃２２２と、可変ノズル２２６と、注入フィルター２０４、２０６及び排出二層フィルター２１２、高圧フィルター２１８、ノズルフィルターの４つのフィルターを備え、粒子や固形物を除去して、ノズルが詰まるのを防ぎ、ポンプの寿命を延長する。これら構成を高圧射水銃保管箱と、パイプローラー及びハンドルと、複数のノズル保管箱と、防音カバーとを備えたカートに搭載し、必要な場所に簡易に移動させることができる。本噴霧装置は、消火、洗浄、泡式消火、泡式洗浄、冷却、散水等の様々な用途に適用される。【選択図】図２
2005058994.tif 000002
【特許請求の範囲】
【請求項１】
多機能可般型噴霧装置であって、
フィルターを備えた大水量注入口及び、フィルターを備えた小水量注入口を有し、排水口に二層のフィルターを設けると共に、溢出するのを防止する浮動弁を備えた貯水タンクと、
前記貯水タンクと接続されて、混合剤を前記貯水タンクに供給、或いは供給しないよう切り替え可能な混合剤タンクと、
前記貯水タンクの排水口に接続され、排水口側に高圧パイプフィルターを設けた、水或いは混合液を加圧する高圧ポンプと、
前記高圧ポンプに動力を供給する動力源と、
前記高圧パイプフィルターを介して高圧パイプと前記高圧ポンプを接続し、前端には簡易コネクタを設け、ノズルの交換を容易とした複数の手持高圧射水銃と、
前記手持高圧射水銃を収容する複数の高圧射水銃保管箱と、
パイプホースを巻取り収容するパイプローラー及びハンドルと、
前記ノズルが一つ或いはそれ以上のノズルからなることにより噴霧量を増加し、正前方と側方に噴霧し、異なる形態に噴霧可能とすると共に、末端にフィルターを設けている複数の可変ノズルと、
前記ノズルを収容する複数のノズル保管箱と、
前記電源の騒音を防ぐ防音カバーと、
前記貯水タンク、前記混合剤タンク、前記動力源、前記高圧ポンプ、前記高圧射水銃、前記高圧射水銃保管箱、前記ノズル、前記ノズル保管箱、前記パイプ、前記ローラー、等を搭載し、前輪、後輪、取っ手、係合環を備えて、前記装置の押し引き可能としたカートと、
からなることを特徴とする多機能可般型噴霧装置。
【請求項２】
前記貯水タンクの容量は、３０〜８０リットルであることを特徴とする請求項１に記載の多機能可般型噴霧装置。
【請求項３】
前記混合液タンクの容量は、１０リットル以下であることを特徴とする請求項１に記載の多機能可般型噴霧装置。
【請求項４】
前記高圧ポンプは、８０〜１５０バール（bar）の高圧を提供することを特徴とする請求項１に記載の多機能可般型噴霧装置。
【請求項５】
前記高圧ポンプは、毎分５〜２０リットルの水を、ノズルに供給することを特徴とする請求項１に記載の多機能可般型噴霧装置。
【請求項６】
前記動力源は小型ガソリンエンジンであることを特徴とする請求項１に記載の多機能可般型噴霧装置。
【請求項７】
前記動力源はモーターであることを特徴とする請求項１に記載の多機能可般型噴霧装置。
【請求項８】
前記小型ガソリンエンジンは、手動で起動することを特徴とする請求項５に記載の多機能可般型噴霧装置。
【請求項９】
前記小型ガソリンエンジンは、バッテリー電子ステータにより起動することを特徴とする請求項５に記載の多機能可般型噴霧装置。
【請求項１０】
前記小型ガソリンエンジンは、手動、或いは電子ステータにより起動することを特徴とする請求項５に記載の多機能可般型噴霧装置。
【請求項１１】
前記混合液は泡式消化剤であることを特徴とする請求項１に記載の多機能可般型噴霧装置。
【請求項１２】
前記混合液は洗浄剤であることを特徴とする請求項１に記載の多機能可般型噴霧装置。
【請求項１３】
前記混合液は消化液であることを特徴とする請求項１に記載の多機能可般型噴霧装置。
【請求項１４】
前記混合液は除虫剤であることを特徴とする請求項１に記載の多機能可般型噴霧装置。
【請求項１５】
前記混合液は環境保護の微生物表面活性剤であることを特徴とする請求項１に記載の多機能可般型噴霧装置。
【請求項１６】
前記手持高圧射水銃は１〜４であることを特徴とする請求項１に記載の多機能可般型噴霧装置。
【請求項１７】
前記手持高圧射水銃の数は３〜５であることを特徴とする請求項１に記載の多機能可般型噴霧装置。
【請求項１８】
各可変ノズルは二つのノズルがあり、一つは正前方に噴霧、もう一つは角度βで噴霧し、角度βは１５〜６０度で、好ましくは４５度であることを特徴とする請求項１に記載の多機能可般型噴霧装置。
【請求項１９】
各可変ノズルは三つのノズルがあり、中央のノズルは正前方に、それ以外の二つは、前記中央ノズルから間隔ｄ離れた角度βで噴霧し、間隔ｄは3〜１０センチ、角度βは１５〜６０度で、好ましくは４５度であることを特徴とする請求項１に記載の多機能可般型噴霧装置。
【請求項２０】
前記カートの取っ手は、後方に３０〜６０度傾斜していることを特徴とする請求項１に記載の多機能可般型噴霧装置。
【請求項２１】
前記カートは車により牽引されることを特徴とする請求項１に記載の多機能可般型噴霧装置。
【請求項２２】
前記カートはバイクにより牽引されることを特徴とする請求項１に記載の多機能可般型噴霧装置。
【請求項２３】
前記カートはトラクターにより牽引されることを特徴とする請求項１に記載の多機能可般型噴霧装置。
【請求項２４】
前記カートは人力により押し引きされることを特徴とする請求項１に記載の多機能可般型噴霧装置。
【発明の詳細な説明】
【技術分野】
【０００１】
本発明は、噴霧装置に関するものであって、特に、消火、洗浄、泡式消火、泡式洗浄、冷却、散水等の様々な用途に適用される多機能可般型噴霧装置の改良に関するものである。
【背景技術】
【０００２】
一般の霧生成スプレイは、水をポンプによる圧力下で、ノズルから噴霧する。それらは、一種の用途に限って用いられている。例えば、申請中のドイツ特許番号EX１８６６６などでは、運搬手段としてカートなどの四輪型など多種あり、人力で牽引し、移動が大変遅いものである。他のタイプは、二輪の手押し車上に取り付けられ、二人かそれ以上の人手で、消防車や、可燃性の物質の有る場所に配置させるものである。このタイプは、火災現場に運搬するのが容易ではない。
【０００３】
図１は、公知技術による一般の消火装置を示す図である。貯水タンク１０２は、一定量、例えば１００リットルを貯水できる大型貯水タンクで、タンク１０２の上方、或いは側方には、水を補充する注入パイプ１０４が設けられる。ポンプ１０６は、小型エンジン、或いはモーター１０８により駆動されて、高い水圧を生成する。水は、配水管１１２を通じて、ノズル１１０から排出される。このタイプの噴霧装置は、消火用としてだけ用いられる。難点は、高価で、ノズルの構造は細心の注意を払わねばならず、異物が入って詰まったり、長時間使用しないと（通常は、火災が発生した際に使用するので）、錆びたり詰まったりして、緊急時にその効用を発揮できない。例えば、洗車用、或いは床用等の他の洗浄器は、ノズル部分と全体的な構造が消火器とはかなり異なる。洗車用洗浄器は、主に、強力水柱、或いは、大きい水滴により、車を洗浄するので
あって特殊なノズルによって、噴霧するのではない。例えば、ドイツのKranle
社の製品、イタリアのInterpump  groupのcatalogueの製品、その他、民間の洗車器などの、簡潔な構造とノズルは、消火用には適さない。
【０００４】
また、消防用泡式消火器は、腐食性のある化学製品を用いて、大量の泡を形成して消火するので、人体、精密機器、コンピュータ、電気設備に害を与える。それらは消火が可能であるが、後続の洗浄工程において、人体、人畜に悪影響がでる。
【０００５】
公知技術において、移動が簡単で、多機能である噴霧装置がなかった。故に、移動が簡単で、用途が多種に渡り、平時、火災がない時には、洗車用、床洗浄用、ビル外壁洗浄、プール設備洗浄、散水、除虫、空間冷却などの多種の設備に適用できる噴霧装置が必要とされている。毎日の装置の操作を通じて、使用者にとってその操作が習慣となり、ミス操作や緊急時の装置の効率損失を防止する。
【特許文献１】特開平05-285235
【発明の開示】
【発明が解決しようとする課題】
【０００６】
本発明は、霧式消火、泡式消火、洗車、泡式洗車、ビル洗浄、プール洗浄、床洗浄、油汚除去、散水、除虫、及び空間冷却等の様々な用途に適用出来、設備上の利点を発揮する、随時使用可能な、多機能可般型噴霧装置を提供することを目的とする。
【課題を解決するための手段】
【０００７】
上述の目的を達成するため、本発明は、多機能可般型噴霧装置を提供し、本装置は、大型の二輪及び小輪を備えるカート上に設置され、特殊な設計のハンドルと係合環を備え、人力による押し引き、車やバイクによる牽引、或いは、車に搭載してその機動性を発揮し、簡易に火災現場や洗浄場所に運送、移動させることができる。
【０００８】
本装置は、注入フィルター及び排出二層フィルターを備え、水をポンプに引き入れ、高い水圧がパイプフィルターを経て、パイプの末端のノズルフィルターに達し、最後に、ノズルから水霧を生成する。水は、４段階のフィルターを通過する。ノズルは、洗車の際、フィルターを使用する必要は無いが、水は３段階のフィルターを通過して、粒子、固形物を除去し、ノズルが詰まるのを回避し、ポンプの寿命を延長する。
【０００９】
本装置は、ノズルコネクターが、異なる用途に応じて、簡易変換出来、複数のノズルを保管する保管箱（以下で記述する）がある。長短二種の高圧射水銃も備えている。
【００１０】
本装置は、貯蔵タンクが二つの注入口を備え、小さい注入口は、水道水を直接注入することが出来る注入コネクタを備え、大きい注入口は、緊急時、或いは連続使用の際、他のタンク、或いは水源から、簡易に、水を注入することが出来る。
【００１１】
本装置は、騒音を防止する騒音カバーを備える。
【００１２】
本装置は、二つの水タンクを備え、一つのタンクは溢出するのを防ぐ浮動弁を備え、もう一つは、例えば、泡剤、洗浄剤、消火液、除虫剤等を貯存することが出来る混合剤タンクで、二つのタンク間の弁は、タンクの開閉を制御し、純水か混合水の選択を提供する。
【発明の効果】
【００１３】
多種の設備に適用できる噴霧装置という要請に応え、また、毎日の装置の操作を通じて、使用者にとってその操作が習慣となり、ミス操作や緊急時の装置の効率損失を防止する。
【発明を実施するための最良の形態】
【００１４】
図２は、本発明の具体例による多機能噴霧装置装置２００の構造を示す図である。図２で示されるように、貯蔵タンク２０２は、大水量注入口及びフィルター２０６、小水量注入口及びフィルター２０４からなる。小水量注入口は水道管２２８から給水され、内部にフィルターを設けて、粒子や固形物を除去する。大水量注入口２０６内にもフィルターが設けられ、粒子や固形物を除去し、供圧源（即ち、ポンプ２１６）の摩擦破損を防止し、寿命を延長する。貯蔵タンク２０２の容量は、適宜の水源を利用できるため公知技術が必要とする１００リットルの大容量である必要は無く、３０〜８０リットルでよいので、移動性が増加する。貯蔵タンク２０２は浮動弁を備え、溢出するのを防止する。貯蔵タンク２０２の頂部或いは側部は混合剤タンク２１０がある。混合剤タンクの容量は、１０リットル以下の小さいものでよい。混合剤タンク２１０は、弁２０８と高圧管を通じて、貯蔵タンク２０２と接続されている。水だけを霧にする場合、弁を閉鎖し、混合剤は貯蔵タンクに入れない。混合液が必要である時、弁が開かれ、混合液が一定の比率で貯水タンクに注入され、混合剤を含む霧を生成する。混合液とは、例えば、泡剤、洗浄剤、消火液、除虫剤、オイル漏出に対する環境保護の界面活性剤などで、簡易な消火効果を得て、油汚を除去する。この溶剤は無毒で、刺激性及び腐食性がなく、人体や環境に無害で、油、たんぱく質、脂肪などの生物分解を促進し、自然環境を保護するのに役立つ。更に、ポンプ２１６を保護するために、貯蔵タンク２０２の排出口に、簡易コネクタ（図示しない）と接続された二層フィルター２１２を設置し、フィルターを速やかに交換する。水、或いは混合液は、ポンプ２１６により加圧された後、８０〜１５０バール（bar）の高圧が生成され、毎分５〜２０リットルの水を、ノズルに供給する。その動力源は、電源２１４である。電源は小型動力エンジン（ディーゼルエンジン、ガソリンエンジン）により電力を供給し、給電が不便な環境下での移動使用を便利にする。或いは、給電がた易い環境下で、電動モータの使用により、その重量と騒音を減少する。エンジンを起動するために、手回し起動、或いは、バッテリー電動起動、或いはそれら両方が用いられる。高圧の水、或いは混合液は、再び、高圧管フィルター２１８によりろ過され、ポンプにより生成された粒子を除去する。これらの３つのフィルターにより、精密なノズルの詰まりを防止し、ノズルフィルター（図示しない）の寿命を延長する。この装置の使用により、ノズルフィルターを使用しない一般の洗車機は詰まることがなく、ノズルを周期的に洗浄する必要も無い。高圧管２２０は弾性のある管で、パイプローラー上に巻き取ることが出来る。管の末端は高圧射水銃２２２である。簡易コネクタ２２４は、高圧射水銃２２２とノズル２２６を接続する。簡易コネクタ２２４は、ノズルが簡易交換できるように設計されていて、用途に応じて、簡易にノズルを交換することが出来る。貯蔵タンク２０２の一端に、異なる用途に応じて使用されるノズルを収納する複数のノズル保管箱（以下で記述する）がある。長短二種の高圧射水銃も備えている。
【００１５】
図３(a)、(b)及び図４は、本発明の一具体例による多ノズル設計を示す図である。図３（a）は二つのノズル、図３（b）は三つのノズルが設計されている。図３（a）で示されるように、ノズル２２６の多ノズル設計は、主ノズル２２６−１を備え、正前方に強く噴射することができるが、噴射面積は広くない。もう一つの側ノズル２２６−２は、２２６−１との角度がβで、角度βは１５〜６０度で、好ましくは４５度である。側方に噴射して、霧量を増加し、作業効率がアップする。図３（b）で示されるもう一つの具体例において、三つのノズルが設計されている。主ノズル２２６−１は正前方に強く噴射することができるが、噴射面積は広くない。故に別途に設置されたノズル２２６−２、２２６−３は、主ノズル２２６−１と角度αを形成し、角度αは１５〜６０度で、好ましくは４５度である。側方ノズル２２６−２、２２６−３と主ノズル２２６−１との間隔は、間隔ｄであり、ｄは約３〜１０センチで、側方に噴射され、霧量が増加するので、作業効率がアップする。
【００１６】
図４は、本発明のもう一つの具体例によるプッシュ型多機能噴霧装置装置３００を示す図である。多機能噴霧装置装置３００は、四輪カート３０２上に搭載される。貯水タンクと混合剤タンク３１８、エンジン、或いはモーター３０４、高圧ポンプ３０６は、カート上に設置される。複数の高圧射水銃保管箱３０８はカート両側に位置する。複数の手持高圧射水銃は、高圧射水銃保管箱３０８に挿入される。高圧射水銃保管箱３０８と手持高圧射水銃３２０は、１〜４個が好ましい。複数のノズル保管箱３１４は、目的によって異なる用途のノズルを収容するのに用いられる。ノズル保管箱３１４は、３〜５個が好ましい。係合環３１０は、取っ手３２４に接続され、取っ手３２４の後方への傾斜角度αは、例えば、３０〜６０度の間で、押しやすくなっている。取っ手には、パイプローラー３１２があり、ハンドル３１６により、パイプを解放収束して、高圧水管を巻くのに用いる。エンジンチャンバは、防音効果を有する美観のカバー３２２を備えている。この種の噴霧装置は人力により移動して、近距離の移動が可能である。
【００１７】
図５は、本発明のもう一つの例による、押し引き型多機能噴霧装置装置４００の構造を示す図である。噴霧装置装置４００は四輪カート３０２上に搭載される。貯蔵タンクと混合剤タンク３１８、エンジン或いは電動モーター３０４及び高圧ポンプ３０６はカート上に設置される。複数の高圧射水銃保管箱３０８はカート両側に位置する。複数の手持高圧射水銃３２０は、高圧射水銃保管箱３０８に挿入される。高圧射水銃保管箱３０８と手持高圧射水銃３２０は、１〜４個が好ましい。複数のノズル保管箱３１４は、目的によって異なる用途のノズルを収容するのに用いられる。ノズル保管箱３１４は、３〜５個が好ましい。係合環３１０は、取っ手３２４に接続され、取っ手３２４の後方への傾斜角度αは、例えば、３０〜６０度の間で、トラクター或いは、その他の牽引車により引いてすばやく移動させることが出来る。取っ手には、パイプローラー３１２があり、ハンドル３１６により、パイプを解放収束して、高圧水管を巻くのに用いる。エンジンチャンバは、防音効果を有する美観のカバー３２２を備えている。この押し引き型の噴霧装置は人力による押し引き、或いはトラクターによる牽引が出来、すばやく移動させることが出来る。
【００１８】
図６は、本発明のもう一つの実施例による、押し引き型多機能噴霧装置装置５００の構造を示す図である。噴霧装置装置５００は、二つの後輪５０８、一つの小さい前輪５０６を備える三輪カート上に搭載される。前輪５０６は、自由に回転して、方向転換、前進、後退等、することが出来る。貯蔵タンク３１８、混合剤タンク５１０、燃料タンク５０２、エンジン或いは電動モーター５０４及び高圧ポンプ３０６はカート上に設置される。複数の高圧射水銃保管箱３０８はカート両側に位置する。複数の手持高圧射水銃３２０は、高圧射水銃保管箱３０８両端に挿入される。高圧射水銃保管箱３０８と手持高圧射水銃３２０は、１〜４個が好ましい。複数のノズル保管箱３１４は、目的によって異なる用途のノズルを収容するのに用いられる。ノズル保管箱３１４は、３〜５個が好ましい。係合環３１０は、取っ手３２４に接続され、取っ手３２４は後輪軸（図示しない）に接続され、後方への傾斜角度αは、例えば、３０〜６０度の間で、トラクター等により引いてすばやく移動させることが出来る。取っ手には、パイプローラー３１２があり、ハンドル３１６により、パイプを解放収束して、高圧水管を巻くのに用いる。この三輪押し引き型の噴霧装置は人力による押し引き、或いはトラクターによる牽引が出来、すばやく移動させることが出来る。
【００１９】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００２０】
【図１】公知技術による一般の消火装置を示す図である。
【図２】本発明の具体例による多機能噴霧装置装置の構造を示す図である。
【図３】本発明の一具体例による二つのノズル設計を示す図である。
【図４】本発明の一具体例による三つのノズル設計を示す図である。
【図５】本発明のもう一つのによる、押し引き型四輪多機能噴霧装置装置４００の構造を示す図である。
【図６】本発明のもう一つのによる、押し引き型三輪多機能噴霧装置装置５００の構造を示す図である。
【符号の説明】
【００２１】
１００…公知技術による一般の霧消火器
１０２…貯蔵タンク
１０４…注入パイプ
１０６…ポンプ
１０８…小型エンジン、或いはモーター
１１０…ノズル
１１２…配水管
２００…多機能噴霧装置装置
２０２…貯蔵タンク
２０４…小水量注入口及びフィルター
２０６…フィルター
２０８…弁
２１０…混合剤タンク
２１２…二層フィルター
２１４…電源
２１６…ポンプ
２１８…高圧管フィルター
２２２…高圧射水銃
２２４…簡易コネクタ
２２６…ノズル
３００…プッシュ型多機能噴霧装置装置
３０２…四輪カート
３０４…モーター
３０６…高圧ポンプ
３０８…高圧射水銃保管箱
３１０…係合環
３１２…パイプローラー
３１４…ノズル保管箱
３１６…ハンドル
３１８…混合剤タンク
３２０…手持高圧射水銃
３２２…カバー
３２４…取っ手
４００…押し引き型四輪多機能噴霧装置装置
５００…押し引き型三輪多機能噴霧装置装置
５０２…燃料タンク
５０４…エンジン或いは電子モーター
５０６…前輪
５０８…後輪
【図１】
2005058994.tif 000003
【図２】
2005058994.tif 000004
【図３】
2005058994.tif 000005
【図４】
2005058994.tif 000006
【図５】
2005058994.tif 000007
【図６】
2005058994.tif 000008